(57)【要約】 【課題】一般家庭のトイレ室などにおいて、杖を離せない高齢者や車椅子使用の身障者であっても充分な余裕を持って安心して使用できるようにすることを目的とする。【解決手段】使用者が車椅子に乗った状態でトイレ室に設けられた開き扉を開放して、前記トイレ室に入室する。次いで、前記使用者が部材が格子状に組み合わされてなる手摺りを掴んで、前記車椅子から前記トイレ室内に設けられた便器に乗り移る。【選択図】図３
2005334673.tif 000002
【特許請求の範囲】
【請求項１】
使用者が把持して使用する手摺りであって、前記手摺りは部材が格子状に組み合わされてなることを特徴とする、ユニバーサルデザインによる手摺り。
【請求項２】
前記部材は４５度の角度で傾斜して正方形部材を構成し、この正方形部材が横方向において複数レージトング様に連結して前記格子状を呈することを特徴とする、請求項１に記載のユニバーサルデザインによる手摺り。
【請求項３】
前記手摺りは、前記正方形部材が少なくとも３つ横方向に連結されて前記格子状を呈することを特徴とする、請求項２に記載のユニバーサルデザインによる手摺り。
【請求項４】
前記手摺りの上端に位置する角部において、掴み部を設けたことを特徴とする、請求項１〜３のいずれか一に記載のユニバーサルデザインによる手摺り。
【請求項５】
前記手摺りは、その中心線に対して左右対称であることを特徴とする、請求項１〜４のいずれか一に記載のユニバーサルデザインによる手摺り。
【請求項６】
前記手摺りは、トイレユニット用手摺りであることを特徴とする、請求項１〜５のいずれか一に記載のユニバーサルデザインによる手摺り。
【請求項７】
請求項１〜５のいずれか一に記載の手摺りを具えることを特徴とする、ユニバーサルデザインによるトイレユニット。
【請求項８】
前記トイレユニットは、平面方形のトイレ室内において所定の便器と前記手摺りとを具え、
前記便器は、前記トイレ室の隅部においてその幅方向の中心線が各壁面に対して傾斜した状態で配置されているとともに、前記手摺りは、前記トイレ室の、前記便器の斜め前方に位置する壁面に配置したことを特徴とする、請求項７に記載のユニバーサルデザインによるトイレユニット。
【請求項９】
前記トイレユニットは、前記トイレ室の前記手摺りが配置された壁面と対向する位置において開き扉を具えることを特徴とする、請求項８に記載のユニバーサルデザインによるトイレユニット。
【請求項１０】
身障者である使用者のトイレユニット用手摺りの使用方法であって、
前記使用者が車椅子に乗った状態でトイレ室に設けられた開き扉を開放して、前記トイレ室に入室する工程と、
前記使用者が部材が格子状に組み合わされてなる手摺りを掴んで、前記車椅子から前記トイレ室内に設けられた便器に乗り移る工程と、
を具えることを特徴とする、ユニバーサルデザインによるトイレユニット用手摺りの使用方法。
【請求項１１】
前記使用者が前記手摺りを掴んで、前記便器から前記車椅子に乗り移る工程を具えることを特徴とする、請求項１０に記載のユニバーサルデザインによるトイレユニット用手摺りの使用方法。
【請求項１２】
前記手摺りの前記部材は４５度の角度で傾斜して正方形部材を構成し、この正方形部材が横方向において複数レージトング様に連結して前記格子状を呈することを特徴とする、請求項１０又は１１に記載のユニバーサルデザインによるトイレユニット用手摺りの使用方法。
【請求項１３】
前記手摺りは、前記正方形部材が少なくとも３つ横方向に連結されて前記格子状を呈することを特徴とする、請求項１２に記載のユニバーサルデザインによるトイレユニット用手摺りの使用方法。
【請求項１４】
前記手摺りの上端に位置する角部において、掴み部を設けることを特徴とする、請求項１０〜１３のいずれか一に記載のユニバーサルデザインによるトイレユニット用手摺りの使用方法。
【請求項１５】
前記手摺りは、その中心線に対して左右対称であることを特徴とする、請求項１０〜１４のいずれか一に記載のユニバーサルデザインによるトイレユニット用手摺りの使用方法。
【請求項１６】
前記便器は、前記トイレ室の隅部においてその幅方向の中心線が各壁面に対して傾斜した状態で配置するとともに、前記手摺りは、前記トイレ室の、前記便器の斜め前方に位置する壁面に配置することを特徴とする、請求項１０〜１５のいずれか一に記載のユニバーサルデザインによるトイレユニット用手摺りの使用方法。
【請求項１７】
前記トイレ室の前記手摺りが配置された壁面と対向する位置において前記開き扉を設けることを特徴とする、請求項１０〜１６のいずれか一に記載のユニバーサルデザインによるトイレユニット用手摺りの使用方法。
【発明の詳細な説明】
【技術分野】
【０００１】
本発明は、年齢、体格、人種、障害などに拘わらず、全ての人にとって差別なく便利に
且つ安全に使用することができる、ユニバーサルデザインによる手摺り、この手摺りを有するトイレユニット及び前記手摺りをトイレユニットに取り付けた際の、その使用方法に関する。
【背景技術】
【０００２】
従来、杖を離すことができない高齢者や車椅子使用の障害者に対してバリアフリー住宅などが提案されて現実に実施されているが、それらは健常者基準の住宅において段差をなくしたり手摺りをつけたりするものが殆どであり全ての人々を満足させるものではなかった。
【０００３】
特に、日常の生活に必須で最も快適さを必要とするトイレは図９に示すように便器１を例えばトイレ室２の奥側の壁面３１を背にして側方の壁面３２、３３に平行になるように配置するのが一般的であり、規格の住宅用のトイレ室は限られた空間を有することから車椅子を持ち込む余裕がなく、車椅子が使用可能な広い空間を有する介護用トイレを設けるにはきわめて大掛かりな工事が必要であった。
【０００４】
また、従来、介護用トイレには、壁面に手摺り設置されているが、便器１がトイレ室２の奥側の壁面３１を背にして側方の壁面３２，３３に平行になるように配置されているので手摺り４，４が前記側方の壁面３２，３３に配置されることになり、使用者は側方に配置されている手摺りを掴むこととになり体格の違いや使用状態（体位）によっては非常に使用しづらいものであった。
【０００５】
一方、従来から介護用の手摺りとして図１０に示したようにＬ字型の手摺り４が用いられているが、この手摺り４は、垂直部４ａと水平部４ｂとからなり、使用者が立ち上がるときに力を掛けにくく無理な力や姿勢を強いている。特に、このＬ字型の手摺り４は直線的な垂直４ａと水平部４ｂとを掴んで使用するものであることから壁面３２への取り付けの高さや左右方向位置を使用者に合わせて設置する必要があり、他の使用者にとっては満足に対応することができない、という問題がある。
【０００６】
また、Ｌ字型の手摺り４は正しい方向で取り付けた場合に効果を発揮するものであり、たとえば左右の方向を取り違えて取り付けた場合などには当初の目的を達成できないという問題もある。
【発明の開示】
【発明が解決しようとする課題】
【０００７】
本発明はこのような実情に鑑みてなされたものであり、一般家庭のトイレ室などにおいて、杖を離せない高齢者や車椅子使用の身障者であっても充分な余裕を持って安心して使用できるようにすることを目的とするものである。
【課題を解決するための手段】
【０００８】
上記目的を達成すべく、本発明は、
使用者が把持して使用する手摺りであって、前記手摺りは部材が格子状に組み合わされてなることを特徴とする、ユニバーサルデザインによる手摺りに関する。
【０００９】
本発明の手摺りは格子状を呈するので、従来のＬ字型の手摺りなどと比較して、屈んだり立ち上がったりする際の様々な体位に対して対応可能であり、力が入れやすく無理な姿勢を強いることもない。この結果、このような手摺りを例えば一般家庭のトイレ室などに取り付けた場合、高齢者や身障者などによる前記トイレ室などの使用が極めて容易になる。また、幅広い体格の使用者総てに対して使用が容易になる。
【００１０】
本発明の一態様において、前記手摺りを構成する前記部材を４５度の角度で傾斜させて正方形部材を構成し、この正方形部材が横方向において複数レージトング様に連結することによって前記格子状を呈するようにすることができる。この際、前記正方形部材の数は特に限定されないが、例えば３つとすることができる。
【００１１】
本発明の他の態様において、前記手摺りの上端に位置する角部において、掴み部を設けることができる。この場合、使用者が掴まり歩きをする際に、前記手摺りをより簡易に掴むことができるようになる。
【００１２】
本発明のその他の態様において、前記手摺りは、その中心線に対して左右対称とすることができる。この場合、前記手摺りの取り付け方向を誤る心配がない。
【発明の効果】
【００１３】
以上説明したように、本発明の手摺りによれば、一般家庭のトイレ室などにおいて、杖
を離せない高齢者や車椅子使用の身障者など、年齢、体格、人種、障害などに拘わらず、
全ての人にとって差別なく便利に且つ安全に使用することができるようになる。
【発明を実施するための最良の形態】
【００１４】
以下、本発明のその他の特徴及び利点について、発明を実施するための最良の形態に基づいて詳述する。なお、前記従来例と同一部分については同一の符号を用いて説明する。
【００１５】
図１〜図８は、本発明の手摺りをトイレユニットに取り付け、トイレユニット用手摺りとして使用した場合の一例を示すものである。本例では、便器１が平面長方形のトイレ室２の１つの隅部２１においてその幅方向の中心線Ａが各壁面３１，３２，３３，３４に対して傾斜した状態で配置されているとともに、便器１の斜め前方に位置する壁面３２に本発明の斜め格子状の手摺り４が配置されている。また、壁面３２に対向する壁面３３にはその前方側に開き扉５が配置されている。
【００１６】
そして、壁面３２に配置されている斜め格子状の手摺り４は、図３に示すように、たとえば木材、ステンレスなどの金属或いはこれらを組み合わせた素材などの棒或いはパイプ材で形成され、４５度の角度に傾斜した３つの正方形が、互いに隣接する横方向の角部をレージトング様に連結して一体的に形成された、例えば高さが４０ｃｍ程度の手摺り本体４１が、それらの両端及び上下に位置する角部においてそれぞれ付設された取付具４２により壁面３２から所定の距離（例えば６ｃｍ程度）を隔てて取り付けられている。
【００１７】
また、手摺り４は、図３に示すように左右対称に形成されている。したがって、従来のＬ字型のものと異なり取り付け方向を誤る心配がない。尚、本実施の形態では３つの正方形が互いに隣接する形状としたが、正方形の数はこれに限るものではなく壁面の長さなどに応じて変化させてもよい。
【００１８】
また、特に上端に位置する３つの角部には球状の所定形状を有する例えば直径が５．５ｃｍ程度の掴み部４３が付設されている。
【００１９】
また、壁面３２に対向する壁面３３に配置されている開き扉５は、全体の形状は通常トイレ室などに使用されているものとほぼ同様であるが、図４に示すように、開放側の端縁５１に沿って形成された縦長方形状の開口部５２を有しており、縦方向へ延びる棒状の把手６を有する開口部５２と同形状の子扉５３が上下方向に延びる回転軸５４、５４を中心として１８０度にわたって回転可能となるように開口部５２内に配置されている点で異なる。なお、子扉５３の表面並びに裏面が開き扉５の表面と互いに面一な状態を形成できるようになっている。
【００２０】
本例では、子扉５３の表面５５は開き扉５の表面５６と同様な模様や色彩が施され、子扉５３の裏面５７は開き扉５の表面５６と異なる模様や色彩が施されている。したがって、子扉５３が表面５５を向いているのか、裏面５７を向いているのかが視覚により簡単に区別できる。また、子扉５３の表面５５には把手６を設置しているので、上述した模様や色彩の有無に拘わらず、把手６が室外に露出しているか否かでも子扉５３が表面５５を向いているのか、裏面５７を向いているのかが視覚により簡単に識別することができる。
【００２１】
なお、図１および図２中、符号７は壁面３１，３３に配置された縦方向へ延びる短尺棒状の補助手摺りである。
【００２２】
次に、上述した手摺りの使用方法について詳細に説明する。
【００２３】
図５は車椅子８を使用している身障者である使用者９が上述した本発明の手摺りを有するトイレユニットを使用する場合についての使用態様の概略を経時的に示したものである。最初に、身障者である使用者９は、図５（ａ）に示すように開き扉５に近づき把手６を掴み、図５（ｂ）に示すように手前側に引く。次いで、図５（ｃ）に示すように車椅子８がトイレ室２内に入れるだけの開口部が形成されたら、図５（ｄ）に示すように車椅子８ごとトイレ室２内に進行する。
【００２４】
このとき、本例では子扉５３が上下方向に延びる回転軸５４、５４を中心として回転可能に配置されている。そのため、使用者９は最初に図５（ａ）に示した状態で掴んだ把手６をそのまま離すことなしに、つまり、持ち替えることなしに図５（ｄ）および図５（ｅ）に示すようにトイレ室２内に進行し、開き扉５を閉じる状態まで進むことができる。したがって、使用者９の開き扉５の開閉操作に伴う負担を軽減することができる。
【００２５】
また、開き扉５の表面側に露呈する子扉５３の裏面５７には、開き扉５の表面５６と異なる模様や色彩が施されているとともに、把手６が消失しているので、トイレ室２が使用者９によって使用されている（使用中）であることが一目瞭然となる。したがって、別途に鍵を設ける必要がなく、或いは設けたとしても通常は掛けなくてもよく、事故への迅速な対応ができる。
【００２６】
さらに、デザイン的には好ましくないが、子扉５３の裏面５７に予め「使用中」の様な識別標記を施しておいてもよい。この場合、上述した模様や色彩などを施さなくても、子扉５３が裏面を向いていることが明確となり、トイレ室２が使用中であることを明確に把握することができる。
【００２７】
図６は開き扉５の開閉操作を更に詳しく説明したものである。図６（ａ）に示すように、把手６を掴み、図６（ｂ）に示すように把手６を掴んだまま身体を開口部に向く位置に動かす。このとき、図６（ｃ）に示すように把手６を掴むことにより子扉５３が回転するので、図６（ｄ）に示したようにトイレ室２に入って開き扉５を閉じるまで把手６を掴んだままの状態を無理なく保つことができる。
【００２８】
トイレ室２内に進入した身障者である使用者９は図５（ｃ）に示すように、トイレ室２内に入るが、このとき、便器１が平面長方形のトイレ室２の１つの隅部２１においてその幅方向の中心線Ａが各壁面３１，３２，３３，３４に対して傾斜した状態で配置されている。したがって、トイレ室２の空間を有効に生かし、一般家庭用のトイレ室の寸法においても車椅子８の使用を可能にすることができるとともに、最も使い勝手のよい便器の斜め前方に位置する壁面３３に手摺り４を設けることができる。
【００２９】
次いで、使用者９は図５（ｅ）〜（ｇ）に示すように、手摺り４を掴んで車椅子８から便器１へと乗り移ることになるが、実験的に乗り移り易い車椅子８の中心線と便器１の中心線とのなす角度は９０度以下であり、図７に示すように本実施の形態では、ほぼ６５度程度となり、有効な角度であるといえる。
【００３０】
特に、車椅子８から便器１へと乗り移る時に使用する手摺り４は、斜め格子状であり、単に横方向へ延びる直線的なものと異なり掴む位置に幅があるので、子供から高齢者まで幅広い体格に適応可能である。さらに、屈んだり立ち上がったりする際の様々な体位に対しても対応可能であるばかりか、図８（ａ）および（ｂ）に直線的な比較例とともに示したように、手首が楽に上下するので、力を入れやすい。また、図８（ｃ）に示すように、手摺り４が身体の全面に位置するので掴み易いとともに身体の回転がし易く便器への着座が楽に行える。
【００３１】
また、本実施の形態では手摺り４の３つの頂角には球状の掴み部４３が付設されているので掴まり歩きをする際にも掴み易い。
【００３２】
そして、用を足した後は、図５（ｇ）から図５（ａ）へと逆の動作により退室することになるが、図６（ｄ）に示すように、出るときには入るときと反対の動きになり、把手６を掴んだまま押し開ければよい。
【００３３】
以上、本発明を具体例を挙げながら詳細に説明してきたが、本発明は上記内容に限定されるものではなく、本発明の範疇を逸脱しない限りにおいてあらゆる変形や変更が可能である。
【００３４】
例えば、上記具体例においては、本発明の手摺りを家庭規格のトイレ室２に付いて実施した場合を示したが、ユニバーサルデザインを念頭においていることから、駅や高齢者介護施設、或いは各種のパブリックスペースなど不特定多数の人々が使用する場所のトイレユニットに設置可能であることはいうまでもない。また、本発明の手摺りは、上述したトイレユニットなどの他に、各種施設や住宅などにおいても好適に使用することができる。
【図面の簡単な説明】
【００３５】
【図１】本発明の開き扉を具えたトイレ室の一例を示す平面図である。
【図２】図１に示したトイレ室の側面図である。
【図３】図１に示したトイレ室の手摺りを示すもので、（ａ）は正面図、（ｂ）は平面図、（ｃ）は側面図である。
【図４】図１に示したトイレ室における開き扉の正面図であり、（ａ）は子扉の表面が露出している状態、（ｂ）は子扉が１８０度回転して裏面が露出している状態、（ｃ）は子扉が９０度回転した状態を示している。
【図５】図１に示したトイレ室における前記開き扉の使用態様を経時的に示す説明図である。
【図６】同じく、図１に示したトイレ室における前記開き扉の使用態様を経時的に示す説明図である。
【図７】図１に示したトイレ室の使用状態を示す平面図である。
【図８】図３に示した手摺りの使用状態を従来例と比較して示した説明図である。
【図９】従来のトイレ室の一例を示す平面図である。
【図１０】図９に示すトイレ室における従来の手摺りの態様を説明するための図である。
【符号の説明】
【００３６】
１  便器
２  トイレ室
４  手摺り
５  開き扉
６   把手
３１，３２，３３，３４  壁面
５３  子扉
５４  回転軸
【図１】
2005334673.tif 000003
【図２】
2005334673.tif 000004
【図３】
2005334673.tif 000005
【図４】
2005334673.tif 000006
【図５】
2005334673.tif 000007
【図６】
2005334673.tif 000008
【図７】
2005334673.tif 000009
【図８】
2005334673.tif 000010
【図９】
2005334673.tif 000011
【図１０】
2005334673.tif 000012